(57)【要約】【課題】単品の状態で、収納されている医薬品の医薬品情報を簡便に読み取り表示する、使い勝手の良い電子薬箱および電子薬箱システムを提供すること。【解決手段】制御部５３は、フタ部７０が閉められると、マルチアクセス対応のリーダライタ部により、収納されている全ての医薬品の医薬品情報を読み取らせ、記憶部に記憶させる。さらに、フタ部７０が開けられると、記憶部の医薬品情報の要旨を表示部７２に一覧表示させる。【選択図】図１
2007111152.tif 000002
【特許請求の範囲】
【請求項１】
複数の医薬品を収納する収納箱と、前記医薬品にそれぞれ取り付けられ、個々の医薬品情報が書き込まれた個別情報タグと、
前記収納箱側に取り付けられ、前記医薬品が前記収納箱に収納されると前記個別情報タグの前記医薬品情報をそれぞれ読み取るリーダライタ部とを備えた電子薬箱であって、
前記収納箱は、表示部と、前記リーダライタ部による前記医薬品情報の読み取りを制御する制御部と、前記リーダライタ部により読み取られた前記医薬品情報を記憶させる記憶部とを有し、
前記制御部は、前記記憶部に記憶された前記医薬品情報を前記表示部に表示させることを特徴とする電子薬箱。
【請求項２】
前記個別情報タグは、非接触情報タグからなり、前記収納箱には前記個別情報タグから前記医薬品情報をリーダライタ部により読み取らせるためのアンテナを有し、
前記記憶部は、前記収納箱に前記医薬品が出し入れされるたびに前記リーダライタ部により読み取られた前記医薬品情報を更新させ、
前記制御部は、当該更新された前記医薬品情報を前記表示部に表示させることを特徴とする請求項１に記載の電子薬箱。
【請求項３】
前記収納箱は、開閉式のフタ部と、複数の医薬品を収納するための容器である本体部と、により構成され、
前記制御部は、前記フタ部が閉じたことを検出すると、前記リーダライタ部に前記医薬品情報を読み取らせ、読み取った前記医薬品情報を前記記憶部に記憶させ、前記フタ部が開いたことを検出すると、前記表示部に前記医薬品情報を表示させることを特徴とする請求項１または２に記載の電子薬箱。
【請求項４】
前記本体部には、前記表示部に表示されている医薬品名および使用期限を含む医薬品情報から所望の医薬品の情報を選択するための操作ボタンを含む複数の操作ボタンを有する操作部が備えられ、
前記制御部は、前記表示部に表示されている医薬品情報の中から、所望の医薬品を選択する操作が前記操作部になされると、前記選択された医薬品の詳細情報を前記表示部に表示させることを特徴とする請求項１〜３のいずれか一項に記載の電子薬箱。
【請求項５】
前記記憶部には、前記リーダライタ部をマルチアクセス対応として機能させるためのマルチアクセスプログラムと、前記リーダライタ部をシングルアクセス対応として機能させるためのシングルアクセスプログラムとが、さらに記憶され、
前記制御部は、前記フタ部が開いたことを検出すると、前記マルチアクセスプログラムと前記シングルアクセスプログラムとを変更することにより前記リーダライタ部の機能をマルチアクセスから、シングルアクセス対応に切替え、さらに前記アンテナ部近傍に前記医薬品の個別情報タグが近づけられると、前記医薬品情報を読み取り、当該医薬品情報の詳細情報を表示部に表示させることを特徴とする請求項３または４に記載の電子薬箱。
【請求項６】
前記アンテナは、前記表示部を囲むように構成された複線式のループアンテナであることを特徴とする請求項２〜５のいずれか一項に記載の電子薬箱。
【請求項７】
複数の医薬品を収納するとともに、前記医薬品ごとに取り付けられた個別情報タグに記憶されている当該医薬品の医薬品情報を読み取り表示する電子薬箱と、前記電子薬箱と別体に設けられ、前記電子薬箱がセットされると、前記電子薬箱に電力を供給するドッキングステーションを含んで構成される電子薬箱システムであって、
前記電子薬箱は、開閉式のフタ部と、複数の医薬品を収納するための容器である本体部と、を含んで構成され、
前記本体部は、前記個別情報タグの医薬品情報をそれぞれ読み取るリーダライタ部と、前記リーダライタ部による前記医薬品情報の読み取りを制御する制御部と、サブ電源部とを有し、
前記フタ部は、前記医薬品情報を表示するための表示部と、前記本体部に収納されている複数の医薬品の個別情報タグから前記医薬品情報を読み取るための前記リーダライタ部のアンテナ部とを、有し、
前記電源部は、前記ドッキングステーションは、外部より供給される交流電力から、前記電子薬箱の動作電力としての直流電力を生成するメイン電源部と、二次電池を有するサブ電源部とを有し、
前記電子薬箱は、前記ドッキングステーションにセットされているときには、前記メイン電源部から供給される電力により動作するとともに前記サブ電源部に電力を蓄え、前記ドッキングステーションから離されたときには、前記サブ電源部の電力により動作することを特徴とする電子薬箱システム。
【発明の詳細な説明】
【技術分野】
【０００１】
本発明は、非接触の個別情報タグを備えた常備薬や、医師が処方した薬などを保管するための家庭用の電子薬箱および電子薬箱システムに関する。
【背景技術】
【０００２】
薬局やドラッグストアなどで一般に販売されている風邪薬などの医薬品のパッケージや、取り扱い説明書に、非接触のデータキャリアを付属させ、データキャリアに、当該医薬品の効能や、用法に関する医薬品情報を記憶させる技術が知られている。
例えば、特許文献１の医薬品のパッケージや、取り扱い説明書には、非接触のデータキャリアとしてのＩＣタグが付加されている。ＩＣタグに記憶された医薬品情報は、パーソナルコンピュータ（以下、「ＰＣ」という）に接続された市販のハンディタイプのＩＣタグリーダにより１個づつ読み取られ、読み取られたデータは、ＰＣに記憶される。また、ＩＣタグリーダが付属した携帯電話によっても同様の読み取りが可能であると記載されている。
さらに、ＰＣまたは携帯電話に記憶された医薬品情報は、ＰＣのディスプレイや、携帯電話の表示部に表示することができ、また、使用者の使いやすい形態にデータ編集することが可能であるという。
【０００３】
一般家庭において、このような医薬品は、薬箱や、救急箱などにまとめて保管されている場合が多い。なお、本願においては、家庭の医薬品をまとめて収納する容器を「薬箱」と称して説明する。このような薬箱は、普段は押入れや収納棚などに保管され、必要なときに持ち出されて使用されていた。
一般的な薬箱は、木や、合成樹脂を材料として構成された単純な収納容器であった。また、特許文献２の薬箱のように、薬箱としての機能に加えて、計時機能および報知機能などの簡単な電子機能を有するものも知られていた。
【０００４】
【特許文献１】特開２００２−１０２３１０号公報
【特許文献２】特開２００２−２０９９８０号公報
【発明の開示】
【発明が解決しようとする課題】
【０００５】
しかしながら、ＰＣや、携帯電話のＩＣタグリーダによる読み取りは、医薬品１個づつの読み取りであるため、薬箱に収納されている全ての医薬品の医薬品情報を読み取る作業は、煩わしいものであった。
また、医薬品情報の読み取りに用いられる一般家庭のＰＣは、ネットサーフィンや、ワープロなど様々な用途に用いられているため、医薬品管理のための専用機となる可能性は極めて低く、新しい医薬品を追加する度に、ＰＣにＩＣタグリーダを接続したり、専用の読み取りソフトを起動させたりといった煩わしい準備作業が必要であった。
さらに、医薬品を服用する際に医薬品情報を表示させるためには、ＰＣまたは携帯電話を準備した上で、薬箱から所望の医薬品を取り出し、ＰＣまたは携帯電話のＩＣタグリーダにより医薬品情報を読み取らねばならず、効率が悪かった。
【０００６】
また、従来の薬箱では、計時機能などの簡単な電子機能が備えられていたとしても、医薬品に付加されているＩＣタグの医薬情報を読み取ることは困難であった。
このように、従来のＰＣなどによる読み取り装置では、簡便に医薬品情報を読み取ることが困難であるという問題があった。また、医薬品情報を確認するためには、読み取り装置としてのＰＣまたは携帯電話が必要であるという問題があった。
【０００７】
上記課題を解決するために、本発明では、単品の状態で、収納されている医薬品の医薬品情報を簡便に読み取り表示することができる使い勝手の良い電子薬箱および電子薬箱システムを提供することを目的とする。
【課題を解決するための手段】
【０００８】
前記目的を達成するために、本発明の電子薬箱によれば、複数の医薬品を収納する収納箱と、医薬品にそれぞれ取り付けられ、個々の医薬品情報が書き込まれた個別情報タグと、収納箱側に取り付けられ、医薬品が収納箱に収納されると個別情報タグの医薬品情報をそれぞれ読み取るリーダライタ部とを備えた電子薬箱であって、収納箱は、表示部と、リーダライタ部による医薬品情報の読み取りを制御する制御部と、リーダライタ部により読み取られた医薬品情報を記憶させる記憶部とを有し、制御部は、記憶部に記憶された医薬品情報を表示部に表示させることを特徴とする。
【０００９】
この構成によれば、電子薬箱は、医薬品が収納箱に収納されると個別情報タグの医薬品情報をそれぞれ読み取るリーダライタ部と、読み取られた医薬品情報を記憶させる記憶部とを備えていることから、収納されている医薬品の医薬品情報を簡便に読み取り、記憶部に記憶する。
さらに制御部は、記憶部に記憶された医薬品情報を表示部に表示させることから、単品の状態で、医薬品情報を表示する。
従って、本発明の電子薬箱は、使い勝手が良く、単品の状態で、収納されている医薬品の医薬品情報を簡便に読み取り表示することができる。
【００１０】
本発明に係る電子薬箱によれば、個別情報タグは、非接触情報タグからなり、収納箱には個別情報タグから医薬品情報をリーダライタ部により読み取らせるためのアンテナを有し、記憶部は、収納箱に医薬品が出し入れされるたびにリーダライタ部により読み取られた医薬品情報を更新させ、制御部は、当該更新された医薬品情報を表示部に表示させることが好ましい。
【００１１】
この構成によれば、記憶部は収納箱に医薬品が出し入れされるたびにリーダライタ部により読み取られた医薬品情報を更新させ、制御部は当該更新された医薬品情報を表示部に表示させることから、電子薬箱は、収納されている医薬品情報を常に更新し表示する。
従って、本発明の電子薬箱は、常に収納されている医薬品に対応した医薬品情報を表示することができる。
【００１２】
本発明に係る電子薬箱によれば、収納箱は、開閉式のフタ部と、複数の医薬品を収納するための容器である本体部と、により構成され、制御部は、フタ部が閉じたことを検出すると、リーダライタ部に医薬品情報を読み取らせ、読み取った医薬品情報を記憶部に記憶させ、フタ部が開いたことを検出すると、表示部に医薬品情報を表示させることが好ましい。
【００１３】
一般の薬箱は、普段、押入れや収納棚などに、蓋を閉じた状態で保管されている。薬箱の使用者が必要とする情報は、当該薬箱にどんな医薬品が、どのくらい保管されているかということである。
この構成によれば、制御部は、フタ部が閉じたことを検出すると、リーダライタ部に医薬品情報を読み取らせ、読み取った医薬品情報を記憶部に記憶させることから、フタ部が閉められた時点で収納されている医薬品全ての医薬品情報を読み取り記憶する。
さらに、フタ部が開いたことを検出すると、表示部に医薬品情報一覧を表示することから、使用者が、薬箱を利用するために薬箱を開けると、収納している医薬品の医薬品情報一覧が表示される。
従って、本発明の電子薬箱は、使い勝手が良く、簡便に医薬品情報を表示することができる。
【００１４】
本発明に係る電子薬箱によれば、本体部には、表示部に表示されている医薬品名および使用期限を含む医薬品情報から所望の医薬品の情報を選択するための操作ボタンを含む複数の操作ボタンを有する操作部が備えられ、制御部は、表示部に表示されている医薬品情報の中から、所望の医薬品を選択する操作が操作部になされると、選択された医薬品の詳細情報を表示部に表示させることが好ましい。
【００１５】
この構成によれば、制御部は、表示部に表示されている医薬品情報の中から、所望の医薬品を選択する操作が操作部になされると、選択された医薬品の詳細情報を表示部に表示させることから、使用者は、収納されている医薬品における確認したい医薬品の詳細情報を得ることができる。
従って、本発明の電子薬箱は、使い勝手が良く、医薬品に関する詳細情報を簡便に表示することができる。
【００１６】
本発明に係る電子薬箱によれば、記憶部には、リーダライタ部をマルチアクセス対応として機能させるためのマルチアクセスプログラムと、リーダライタ部をシングルアクセス対応として機能させるためのシングルアクセスプログラムとが、さらに記憶され、制御部は、フタ部が開いたことを検出すると、マルチアクセスプログラムとシングルアクセスプログラムとを変更することによりリーダライタ部の機能をマルチアクセスから、シングルアクセス対応に切替え、さらにアンテナ部近傍に医薬品の個別情報タグが近づけられると、前記医薬品情報を読み取り、当該医薬品情報の詳細情報を表示部に表示させることが好ましい。
【００１７】
電子薬箱は、応急手当が必要な場合など、急いでいる状況で使用されることが多い。このような場合、使用しようとしている医薬品の詳細情報を確認する際に、使用者が、操作部による操作を煩わしいと感じることが想定される。また、新しい医薬品を購入してきた場合などのように、医薬品単品の詳細情報を確認したいときにも、使用者が、操作部による操作を煩わしいと感じることが想定される。
この構成によれば、制御部は、フタ部が開いたことを検出すると、リーダライタ部の機能をマルチアクセスから、シングルアクセス対応に切替え、さらにアンテナ部近傍に医薬品の個別情報タグが近づけられると、医薬品情報を読み取り、当該医薬品情報の詳細情報を表示部に表示することから、電子薬箱のフタ部が開いている状態で、表示部近傍に医薬品を近づけると、表示部に当該医薬品の詳細情報が表示される。
よって、使用者は、操作部を操作することなく、簡便に医薬品の詳細情報を確認することができる。
従って、本発明の電子薬箱は、使い勝手が良く、医薬品に関する詳細情報を簡便に表示することができる。
【００１８】
本発明に係る電子薬箱によれば、アンテナは、表示部を囲むように構成された複線式のループアンテナであることが好ましい。
【００１９】
ループアンテナは、ループの内側の電波強度および感度が強く、さらに複線式にすることにより、低電力であっても高出力が得られる。
この構成によれば、アンテナは、表示部を囲むように構成された複線式のループアンテナであることから、医薬品の個別情報タグとの間での無線通信が効率良く行われ、医薬品情報を確実に読み取ることができる。
従って、本発明の電子薬箱は、単品の状態で、収納されている医薬品の医薬品情報を確実に読み取ることができる。
【００２０】
前記目的を達成するために、本発明の電子薬箱システムによれば、複数の医薬品を収納するとともに、医薬品ごとに取り付けられた個別情報タグに記憶されている当該医薬品の医薬品情報を読み取り表示する電子薬箱と、電子薬箱と別体に設けられ、電子薬箱がセットされると、電子薬箱に電力を供給するドッキングステーションを含んで構成される電子薬箱システムであって、電子薬箱は、複数の医薬品を収納するための容器である本体部と、本体部の蓋であるフタ部と、を含んで構成され、本体部は、個別情報タグの医薬品情報を読み取るリーダライタ部と、リーダライタ部による医薬品情報の読み取りを制御する制御部と、二次電池であるサブ電源部とを有し、フタ部は、医薬品情報を表示するための表示部と、本体部に収納されている複数の医薬品の個別情報タグから医薬品情報を読み取るためのリーダライタ部のアンテナ部とを、有し、ドッキングステーションは、外部より供給される交流電力から、電子薬箱の動作電力としての直流電力を生成するメイン電源部を有し、電子薬箱は、ドッキングステーションにセットされているときには、メイン電源部から供給される電力により動作するとともにサブ電源部に電力を蓄え、ドッキングステーションから離されたときには、サブ電源部の電力により動作することを特徴とする。
【００２１】
薬箱は、普段、押入れや収納棚などに保管されており、必要なときに持ち出されて使用されることが多い。
この構成によれば、電子薬箱は、ドッキングステーションにセットされているときには、メイン電源部から供給される電力により動作するとともに内蔵する二次電池であるサブ電源部に電力を蓄え、ドッキングステーションから離されたときには、サブ電源部の電力により動作することから、電子薬箱は、ドッキングステーションから離されても、サブ電源部の電力により動作する。
また、メイン電源部が電子薬箱とは別体に設けられたドッキングステーションの構成に含まれているため、メイン電源部の体積分、電子薬箱の医薬品の収納容積を増やすことができ、また、メイン電源部の重量分、電子薬箱の重さを軽くすることができる。さらに、電子薬箱には、外部の交流電力を引き込むためのインレットを含むケーブルが不要であるため、容易に移動することができ、使い勝手が良い。
従って、本発明によれば、使い勝手が良く、単品の状態で、収納されている医薬品の医薬品情報を簡便に読み取り表示することができる電子薬箱システムを提供することができる。
【発明を実施するための最良の形態】
【００２２】
以下、添付図面に基づいて、本発明の実施形態を詳細に説明する。
【００２３】
《電子薬箱システムの概要》
図１は、本発明の一実施形態における電子薬箱システムの概要図である。ここでは、図１を用いて電子薬箱システムの概要について説明する。
電子薬箱システム２００は、収納箱としての電子薬箱１００と、ドッキングステーション１５０などから構成されている。
ドッキングステーション１５０は、家庭内の押入れや、寝室のベッド脇などの収納スペースに設置されている。ドッキングステーション１５０には、コンセントなどの外部電源１８０からの交流電力が、インレットおよびケーブル（いずれも図示せず）を介して入力されている。
ドッキングステーション１５０には、交流電力を安定化した直流電力に変換するメイン電源部１５１（図２）が内蔵されており、電子薬箱１００がドッキングステーション１５０の上面に搭載されると、双方のコネクタ（図示せず）が接続し、電子薬箱１００に直流電力が供給される。電子薬箱１００を使用しないときには、電子薬箱１００をドッキングステーション１５０にセットした状態で収納する。
【００２４】
電子薬箱１００は、本体部５０、フタ部７０、取っ手８０などから構成されている。
本体部５０は、医薬品を収納するための収納容器であり、図１においては複数の医薬品Ｄｒ１〜Ｄｒ７が収納されている。複数の医薬品Ｄｒ１〜Ｄｒ７には、それぞれに個別情報タグであるＩＣタグＩｔ１〜Ｉｔ７が取り付けられている。なお、収納される医薬品の数は、医薬品Ｄｒ１〜Ｄｒ７の７個に限定されるものではなく、本体部５０の収納容量の許す限り、いくつでも収納することが可能である。
また、本体部５０には、操作部５１や、音声などを発するスピーカであるスピーカＳＰなどの電子構成部位が備えられている。
操作部５１は、未使用時には本体部５０に収納されており、フタ部７０が開いている場合において、図１に示すように本体部５０から引き倒して使用する。
フタ部７０は、本体部５０の蓋であり、本体部５０の一辺を支点として開閉する。フタ部７０が閉じているときには、ツメ部７１が、操作部５１の背面の凹部（図示せず）と勘合している。フタ部７０を開くときには、ツメ部７１の背面に設けられた開放ボタン（図示せず）を押す。
【００２５】
フタ部７０の開閉は、本体部５０の上面隅に設けられた開閉検出スイッチＳＷ１により検出される。開閉検出スイッチＳＷ１は、フタ部７０が開閉するための支点となる辺の近傍に設けられており、本体部５０上面からの突出長さにより開閉を検出する。突出長さは、フタ部７０の本体部５０上面からの開口角度θが、略７０°を超えたときに、フタ部７０が開いたと検出するような長さに設定されている。
フタ部７０は、表示部７２と、本体部５０のリーダライタ部５７（図２）のアンテナであるアンテナ部７３などを備えている。
表示部７２は、アクティブマトリクス方式のＴＦＴ型カラー液晶パネルである。
アンテナ部７３は、複線式のループアンテナであり、表示部７２を囲むようにしてフタ部７０の内部に設置されている。なお、アンテナ部７３は、例えば、本体部５０の底面や、側面などに配置されていても良い。また、複線式ループアンテナに限定されることはなく誘電体アンテナやロッドアンテナ等であっても良い。
取っ手８０は、電子薬箱１００の取っ手であり、フタ部７０が閉じた状態で、取っ手８０を持つことにより、電子薬箱１００を片手で持ち運ぶことができる。
【００２６】
《電子薬箱システムの概略構成》
図２は、本発明の一実施形態における電子薬箱システムの概略構成を示す図である。
ここでは、図２を中心に、適宜図１を交えながら電子薬箱、およびドッキングステーションの概略構成について説明する。
電子薬箱１００は、操作部５１、Ｉ／Ｆ部５２、制御部５３、計時部５４、第１記憶部５５、液晶パネル駆動部５６、表示部７２、開閉検出スイッチＳＷ１、リーダライタ部５７、音声合成部６２、スピーカＳＰ、入出力部６３、第２記憶部６４、サブ電源部６５などから構成されている。
【００２７】
操作部５１には、表示部７２に表示される医薬品情報一覧の中から所望の医薬品の情報を選択するための選択ボタンや、当該ボタンにより選択された医薬品の詳細情報を表示するための「決定ボタン」など複数の操作ボタンＢｏが設けられている。また、複数の操作ボタンＢｏの右隣には、スクロール機能を備えた、ポインティングデバイスであるトラックボールＴｂが設けられている。
Ｉ／Ｆ部５２は、サウスブリッジであり、操作部５１への操作入力を制御部５３へ伝達するインターフェイス部としての働きとともに、第２記憶部６４のハードディスクを制御するＩＤＥ（Integrated Drive Electronics）コントローラ、無線通信部１５２の無線ＬＡＮカードを制御するためのＰＣＭＣＩＡ（Personal Computer Memory Card International Association）に対応したカードコントローラ、入出力部６３のコントローラなどを備えている。
【００２８】
制御部５３は、ＣＰＵ（Central Processing Unit）であり、電子薬箱１００およびドッキングステーション１５０の各部を制御する。
計時部５４は、リアルタイムクロックであり、サブ電源部６５からの電力供給の有無に係らず、内蔵するボタン電池などの二次電池（図示せず）を電源に、常時年月日を計時する。
第１記憶部５５は、フラッシュメモリ、ＦｅＲＡＭ（Ferroelectric Random Access Memmory）などの不揮発性のメモリにより構成されている。第１記憶部５５には、リーダライタ部５７により読み込まれた医薬品情報などが一時記憶される。
液晶パネル駆動部５６は、液晶ドライバであり、表示部７２に駆動電圧、駆動信号などを供給する。
【００２９】
リーダライタ部５７は、医薬品のＩＣタグとの間で無線通信を行い、ＩＣタグが記憶している医薬品情報を読み取るための電磁誘導方式による非接触式のＩＣタグリーダであり、ＲＦ部５８と、通信制御部５９とを含んで構成されている。また、リーダライタ部５７は、ＩＣタグライタとしての機能も備えており、シングルアクセス対応に設定されている場合、ＩＣタグに情報を書き込むことも可能である。
ＲＦ部５８は、送受信回路であり、通信制御部５９からの送信または受信コマンドに応じて、送信および受信回路を切替え、アンテナ部７３を介して無線通信を行う。
通信制御部５９は、制御部５３からの通信コマンドに従い、ＲＦ部５８の送信または受信回路の切替えを行い、ＩＣタグとの無線通信を制御する。
【００３０】
音声合成部６２は、音声合成ＩＣおよびアンプ（いずれも図示せず）を含んで構成され、制御部５３からの発音コマンドに従い、スピーカＳＰから音声などを発生させる。音声合成ＩＣには、「医薬品情報」、「読み取れません。」、「服薬の時間です。」、「服薬して下さい。」などという複数の定文章や、「が」、「を」、などの接続詞および接続助詞などを表す音声データが記憶されている。
入出力部６３は、入出力ポートであり、ドッキングステーション１５０と、制御部５３との制御信号のやり取りを中継する。入出力部６３の端部には、コネクタが設けられており、電子薬箱１００がドッキングステーション１５０にセットされた際には、ドッキングステーション１５０側のコネクタ（いずれも図示せず）と接続する。なお、当該コネクタは、メイン電源部１５１からの電源供給ラインを含む複数の通信線を備えている。
【００３１】
記憶部としての第２記憶部６４は、ＩＤＥ規格に対応したハードディスクであり、「フタ部７０が閉められたことが検出されると、医薬品情報を読み込み、フタ部７０が開けられたことが検出されると、読み込んだ医薬品情報の要旨を一覧表示させる医薬品情報表示プログラム」などの複数のプログラム、および付属するデータが記憶されている。
複数のプログラムには、リーダライタ部５７をマルチアクセス対応のＩＣタグリーダとして機能させるためのマルチアクセスプログラム、リーダライタ部５７を１つのＩＣタグと一対一で無線通信するシングルアクセス対応のＩＣタグリーダとして機能させるためのシングルアクセスプログラム、所定の条件が成立した場合に設定されたメールアドレスにメールを送信するためのメール自動送信プログラムがさらに含まれている。
付属するデータには、読み取った医薬品情報の一覧データ、および各医薬品の詳細情報、メールを自動送信する際の宛先メールアドレスなどが含まれている。
サブ電源部６５は、２次電池、例えば、リチウムイオン電池であり、フル充電で電子薬箱１００を２時間以上動作させることが可能な容量を持っている。サブ電源部６５は、電子薬箱１００がドッキングステーションにセットされている状態で、メイン電源部１５１からの電力を蓄電する。
【００３２】
ドッキングステーション１５０は、メイン電源部１５１、無線通信部１５２などから構成されている。
メイン電源部１５１は、外部電源１８０からの交流電力をインレットから導き、内蔵するＡＣ／ＤＣ変換部（いずれも図示せず）にて変圧、整流および平滑するなどの処理を施すことにより安定化させた直流電圧を生成する。
無線通信部１５２は、無線ＬＡＮカードであり、例えばIEEE 802.11a（IEEE 802.11 High-Rate Direct Sequence），IEEE 802.11b，IEEE 802.11gなどの無線ＬＡＮ規格に対応した無線ＬＡＮカードである。無線通信部１５２には、家庭内に設置されている無線ＬＡＮルータと、通信の暗号化を含めて無線通信可能な設定がなされている。
【００３３】
《ＩＣタグの構成と医薬品情報の読み取り方法》
図３（ａ）は、本発明の一実施形態における医薬品の斜視図。図３（ｂ）は、医薬品に取り付けられているＩＣタグの概要図。図３（ｃ）は、ＩＣタグの概略構成図である。
ここでは、図３を中心に、適宜図１および図２を交えながらＩＣタグの構成と、医薬品情報の読み取り方法について説明する。
医薬品Ｄｒ１の外装箱の天面には、ＩＣタグＩｔ１が取り付けられている。ＩＣタグＩｔ１は、基材１１０上に設けられたコイル状のアンテナパターン１１１によるコイルと、ＩＣチップ１１４に含まれる容量素子（図示せず）とにより、一定周波数の共振回路を形成し、当該周波数により外部のＩＣタグリーダまたはライタと無線通信する。
【００３４】
ＩＣタグＩｔ１は、基材１１０、アンテナパターン１１１、スルーホール１１２、パターンランド１１３、ＩＣチップ１１４などから構成されている。
基材１１０は、例えば合成樹脂製のフィルムであり、アンテナパターン１１１が配線されている。なお、ＩＣチップ１１４が実装された後段階で、ＩＣチップ１１４の実装面には、保護用のフィルムが、また、裏面には、医薬品へ貼り付けるための粘着剤付きのフィルムがラミネートされる。
アンテナパターン１１１は、基材１１０の表裏にラミネートされたアルミ箔や、胴箔などの金属箔をエッチングまたは印刷することにより、形成されている。
スルーホール１１２は、基材１１０の表裏に設けられたアンテナパターン１１１の導通を取るためのカーボンブラックなどの導電剤により構成されたスルーホールである。
ＩＣチップ１１４は、基材に対しフリップチップ実装、ＣＯＢ（Chip On Board）実装などにより実装され、パターンランド１１３は、アンテナパターン１１１にＩＣチップ１１４を搭載および接続するためのものである。
【００３５】
ＩＣチップ１１４は、ＲＦ部１１５と、制御部１１６、メモリ１１７などから構成されている。
ＲＦ部１１５には、容量素子が含まれており、アンテナパターン１１１によるコイルとの間で、一定周波数の共振回路を形成する。
制御部１１６は、複数のロジック素子により構成され、外部のＩＣタグリーダライタから発振される電磁波を受けたアンテナパターン１１１における誘電起電力により動作し、ＲＦ部１１５およびアンテナパターン１１１を、受信回路または送信回路として機能させる。
メモリ１１７は、読み書き可能な不揮発性のメモリであり、医薬品Ｄｒ１の医薬品情報が記憶されている。メモリ１１７は、数百キロバイトオーダのメモリ容量があり、一般の医薬品の取扱い説明書に記載されている程度の医薬品情報を記憶することが可能である。
また、それぞれの医薬品ごとに異なるＩＤ番号が附されている。
【００３６】
このような構成を持つＩＣタグＩｔ１から、シングルアクセスプログラムが実行されている電子薬箱１００のリーダライタ部５７が医薬品情報を読み取る方法について説明する。なお、ＩＣタグＩｔ１は、アンテナ部７３の近傍でループ範囲内にあるものとする。
まず、電子薬箱１００の制御部５３は、リーダライタ部５７を送信回路に切換え、ＩＣタグＩｔ１の共振周波数と同じ周波数を持つプローブ信号を送信させる。
プローブ信号を受けたＩＣタグＩｔ１のアンテナパターン１１１は、誘電起電力を発生し、ＩＣチップ１１４の制御部１１６およびメモリ１１７は、当該電力により起動する。
起動した制御部１１６は、メモリ１１７の医薬品Ｄｒ１の医薬品情報を符号化し、ＲＦ部１１５およびアンテナパターン１１１により応答信号として送信させる。
電子薬箱１００の制御部５３は、プローブ信号を送信した後、リーダライタ部５７を受信回路に切換え、ＩＣタグＩｔ１からの応答信号を受信させ、受信した医薬品Ｄｒ１の医薬品情報を、第１記憶部５５に記憶する。
なお、医薬品情報の読み取りに用いられるキャリア周波数は、１３５ＫＨｚ以下の長波帯、または１３．５６ＭＨｚの短波帯が用いられ、通信距離は、数ｃｍ〜２０ｃｍ程度である。
【００３７】
《医薬品情報読み取り表示処理》
図４は、本発明の電子薬箱による医薬品情報の読み取り処理の流れを示したフローチャートである。図５は、一覧表示に係る処理の流れを示したフローチャートである。図６は、医薬品情報の一覧表示画面の一態様を示し、図７は、医薬品の詳細情報画面の一態様を示す図である。
ここでは、図４および図５を中心に、適宜、図１、図２、図６、図７を交えて、電子薬箱１００による医薬品情報の読み取り、および一覧表示に係る処理の流れについて説明する。
電子薬箱１００は、ドッキングステーション１５０にセットされ、フタ部７０が開いた状態で、使用者による医薬品の確認がなされている。電子薬箱１００は、フタ部７０が開いているため、開閉検出スイッチＳＷ１がオンしており、表示部７２には、補充前の医薬品情報の一覧、または特定の医薬品の詳細情報が表示されている。なお、電子薬箱１００は、当該状態で、一定時間以上（例えば、８分間）何も操作されない場合は、表示部７２をオフし、動作クロックを低速にした操作の待ち受け状態であるパワーセーブモードに入る。
【００３８】
まず、図４を用いて医薬品情報読取りルーチンについて説明する。
ステップＳ１では、制御部５３は、フタ部７０が閉められたことを、開閉検出スイッチＳＷ１がオフしているかどうかにより判断する。開閉検出スイッチＳＷ１がオフしている場合、ステップＳ２へ進む。開閉検出スイッチＳＷ１がオンであった場合、フタ部７０は開いていると判断し、引き続き開閉検出スイッチＳＷ１がオフするのを待ち受ける。
ステップＳ２では、制御部５３は、液晶パネル駆動部５６により表示部７２の表示をオフさせる。
ステップＳ３では、制御部５３は、第２記憶部６４のマルチアクセスプログラムを実行し、リーダライタ部５７の機能をマルチアクセス対応に切替える。
ステップＳ４では、制御部５３は、リーダライタ部５７により、本体部５０に収納されている全ての医薬品の医薬品情報を順次読み込ませる。なお、全ての医薬品の医薬品情報を読み込んだ後、リーダライタ部５７は、待機状態となる。
【００３９】
ステップＳ５では、制御部５３は、リーダライタ部５７が読み込んだ医薬品情報を第１記憶部５５に一時的に記憶させながら、医薬品情報および一覧を更新し、第２記憶部６４に記憶させる。また、制御部５３は、更新された医薬品情報、医薬品一覧に加えて、更新前の医薬品情報、医薬品一覧も第２記憶部６４に残しておく。これは、常備薬登録されている医薬品が、今回の確認作業により持ち出されてしまった場合など、収納されている医薬品の変化を更新前のデータと比較し、変更内容を把握するためである。
なお、制御部５３は、医薬品情報の記憶が終わると、動作クロックを低速にしてパワーセーブモードに入り、図５の医薬品情報表示ルーチンのステップＳ６の処理を待ち受ける。
【００４０】
続いて、図５を用いて医薬品情報表示ルーチンについて説明する。
ステップＳ６では、制御部５３は、フタ部７０が開けられたことを、開閉検出スイッチＳＷ１がオンしているかどうかにより判断する。開閉検出スイッチＳＷ１がオンしている場合、ステップＳ７へ進む。開閉検出スイッチＳＷ１がオフであった場合、フタ部７０は閉じていると判断し、引き続き開閉検出スイッチＳＷ１がオンするのを待ち受ける。
ステップＳ７では、制御部５３は、液晶パネル駆動部５６により表示部７２の表示をオンさせる。
ステップＳ８では、制御部５３は、第２記憶部６４から医薬品一覧を読み出し、液晶パネル駆動部５６により表示部７２に表示させる。ここで表示される画面の一例が、図６の医薬品一覧画面Ｇ１に示されている。
ステップＳ９では、制御部５３は、第２記憶部６４のシングルアクセスプログラムを実行し、リーダライタ部５７の機能をシングルアクセス対応に切替える。リーダライタ部５７は、プローブ信号の発信と、応答信号の待ち受けとのサイクルを繰り返し行う。
【００４１】
ステップＳ１０では、制御部５３は、使用者がいずれかの医薬品を取り出し、表示部７２の近傍に近づけたことにより、リーダライタ部５７が医薬品情報を含んだ応答信号を受信したか確認する。受信した場合は、ステップＳ１１へ進む。受信しなかった場合は、ステップＳ１３へ進む。
ステップＳ１１では、制御部５３は、リーダライタ部５７が受信した医薬品の詳細情報、または、操作部５１により選択決定された医薬品の詳細情報を、液晶パネル駆動部５６により表示部７２に表示させる。ここで表示される画面の一例が、図７の医薬品の詳細情報画面Ｇ２に示されている。
ステップＳ１２では、制御部５３は、操作部５１に医薬品の詳細情報から医薬品一覧表示へ「戻る」ための操作があったか確認する。操作があった場合は、ステップＳ８へ戻る。操作がなかった場合は、医薬品一覧画面のまま、図４の医薬品情報読取りルーチンのステップＳ１の処理を待ち受ける。
【００４２】
続いて、ステップＳ１０で、医薬品情報を含んだ応答信号を受信しなかった場合の処理について説明する。
ステップＳ１３では、制御部５３は、操作部５１に医薬品一覧の中からいずれかの医薬品を選択決定する操作があったか確認する。選択決定する操作があった場合、ステップＳ１１へ進む。選択決定する操作がなかった場合は、医薬品一覧画面のまま、図４の医薬品情報読取りルーチンのステップＳ１の処理を待ち受ける。
【００４３】
図６の医薬品一覧画面Ｇ１には、医薬品情報の要旨として「医薬品名」、「効能」、「用法：成人」、「使用期限」、「常備薬」という項目が挙げられている。また、本体部５０に収納されている全ての医薬品ごとに、前記各項目内容が簡潔に一覧表示されている。
また、「使用期限」が切れている場合には、当該医薬品の表示を、他の医薬品を示す色調（例えば、黒）と異なる色調（例えば、赤）で表示する。
また、表示部７２の下部には、「詳細情報が必要な場合は、医薬品を画面に近づけて下さい。」、または、（「品名を選択」→「決定ボタン」でも表示されます）という、特定の医薬品についての詳細情報を得るための操作アドバイスが表示されている。
【００４４】
図７の医薬品の詳細情報画面Ｇ２には、図６の医薬品一覧の「医薬品名」、「効能」、「用法：成人」、「使用期限」、「常備薬」という要旨項目に加えて、「詳細な用法」、「解説および注意事項」、「他の医薬品との飲み合わせ」という項目が追加されている。
「詳細な用法」には、具体的な服用方法や、成人の場合のみでなく、年齢ごとの用量など、一覧表示の内容よりも、より具体的で詳細な情報が記載されている。
「解説および注意事項」には、医薬品の配合成分や効能などの解説、および服用に適さない事例などの弊害情報を含んだ注意事項が記載されている。
「他の医薬品との飲み合わせ」には、当該医薬品と併用した際に副作用が発生する恐れがある医薬品についての情報、および併用しなければならない場合の対処方法などが記載されている。
【００４５】
また、図６の医薬品一覧画面Ｇ１、および図７の詳細情報画面Ｇ２ともに表示されている「常備薬」項目は、電子薬箱１００に常時収納されるべき医薬品として登録されているかどうかを示している。例えば、図６の医薬品一覧において、「ＡＡ感冒薬」と、「ＣＣ整腸薬」とは、「常備薬」欄に「○」が附されており、常備薬登録されている。
常備薬登録を行うためには、医薬品一覧、または詳細情報が表示されているときに、「常備薬」項目列の登録したい医薬品の空欄部分を、操作部５１のトラックボールＴｂなどにより選択決定すると、「○」が附され、登録が行われる。
また、「常備薬」項目を選択決定すると、常備薬の詳細設定画面が表示される。
【００４６】
図８は、常備薬の詳細設定画面の一態様を示す図である。詳細設定画面Ｇ３には、登録されている常備薬に関し、「常備薬がなくなった場合」、「使用期限が迫ってきた場合」、「服用時間の報知」という３つの項目が挙げられている。
「常備薬がなくなった場合」においては、「設定されたアドレスに、補填催促メールを入れる」という機能に、「○」が附され、機能が有効となっている。
当該機能を有効にするためには、「機能」項目列の有効にしたい機能の空欄部分を、操作部５１のトラックボールＴｂなどにより選択決定すると、「○」が附される。また、「詳細設定」表示部分を選択決定すると、メールを送るアドレスの設定画面（図示せず）が表示される。また、メールの送信は、電子薬箱１００がドッキングステーション１５０にセットされている状態において、無線通信部１５２を活用して行われる。
なお、これらの「機能」を有効にする操作、および「詳細設定」を行うための操作は、「使用期限が迫ってきた場合」、および「服用時間の報知」項目においても同様である。
【００４７】
「使用期限が迫ってきた場合」においては、「設定されたアドレスに、補填催促メールを入れる」という機能に、「○」が附され、機能が有効となっている。
また、「詳細設定」表示部を選択決定すると、メールを送るアドレスの設定、および使用期限の１ヶ月前に通知するなどの通知時期を設定するための設定画面（図示せず）が表示される。
「服用時間の報知」においては、「設定された時間に、服用時間の報知をする。」という機能があるが、機能は無効となっている。
「詳細設定」表示部分を選択決定した場合に表示される設定画面（図示せず）には、報知時間の設定、および音声、またはブザー音による報知音の選択設定表示が含まれている。なお、使用期限や、服用時間は、計時部５４が計時している時間を基準としている。
【００４８】
上述した通り、本実施形態によれば以下の効果が得られる。
（１）制御部５３は、リーダライタ部５７により、収納されている複数の医薬品の医薬品情報を読み取らせ、読み取った医薬品情報の要旨を表示部７２に一覧表示させることから、電子薬箱１００は、単品の状態で、収納されている医薬品の医薬品情報を簡便に読み取り表示する。よって、電子薬箱は使い勝手が良い。
さらに、リーダライタ部５７は、マルチアクセス対応であることから、収納されている医薬品全ての医薬品情報を順次読み取る。
よって、簡便に全ての医薬品情報を読み取ることができる。
従って、本発明の電子薬箱１００は、使い勝手が良く、単品の状態で、収納されている医薬品の医薬品情報を簡便に読み取り表示することができる。
【００４９】
（２）アンテナ部７３は、フタ部７０の内面側に、略矩形をなした表示部７２を囲むように設けられ、本体部５０の開口部と略同じ大きさを持つ複線式のループアンテナであることから、本体部５０に収納された全ての医薬品は、略アンテナ部７３のループ内に収まる。
ループアンテナは、ループの内側の電波強度および感度が強く、さらに複線式にすることにより、低電力であっても高出力が得られることから、アンテナ部７３と、医薬品のＩＣタグとの間での無線通信が効率良く行われ、医薬品情報を確実に読み取ることができる。
さらに、略矩形をなした表示部を囲むように設けられることから、フタ部の空きスペースを有効に活用することができる。
従って、本発明の電子薬箱１００は、単品の状態で、収納されている医薬品の医薬品情報を確実に読み取ることができる。
【００５０】
（３）制御部５３は、フタ部７０が閉じたことを開閉検出スイッチＳＷ１により検出すると、リーダライタ部５７に医薬品情報を読み取らせ、読み取った医薬品情報を第２記憶部６４に記憶することから、フタ部７０が閉められた時点で収納している医薬品全ての医薬品情報を読み取り記憶する。
さらに、フタ部７０が開いたことを検出すると、表示部７２に医薬品情報一覧を表示することから、使用者が、電子薬箱１００を利用するために電子薬箱１００を開けると、収納している医薬品の医薬品情報一覧が表示される。
従って、本発明の電子薬箱１００は、使い勝手が良く、簡便に医薬品情報を表示することができる。
【００５１】
（４）制御部５３は、医薬品情報一覧の中から所望の医薬品を選択決定する操作が操作部５１になされると、選択された医薬品の要旨の情報に加えて、当該医薬品の用量を含む用法、副作用を含む使用上の注意事項、他の医薬品との併用による弊害情報を含む詳細情報を表示部７２に表示することから、使用者は、収納されている医薬品における確認したい医薬品の詳細情報を容易に得ることができる。
さらに、詳細情報には、用量を含む用法、副作用を含む使用上の注意事項、他の医薬品との併用による弊害情報が含まれているため、これらの情報を参考にすることにより、安全に医薬品を使用することができる。
従って、本発明の電子薬箱１００は、使い勝手が良く、医薬品に関する詳細な情報を簡便に表示することができる。
【００５２】
（５）制御部５３は、フタ部７０が開いたことを検出すると、リーダライタ部５７の機能をマルチアクセスから、シングルアクセス対応に切替え、さらにアンテナ部７３近傍に医薬品のＩＣタグが近づけられると、医薬品の医薬品情報を読み取り、当該医薬品の詳細情報を表示部７２に表示することから、フタ部７０が開いている状態で、表示部７２近傍に医薬品を近づけると、当該医薬品の詳細情報が表示部７２に表示される。
よって、使用者は、操作部５１を操作することなく、簡便に医薬品の詳細情報を確認することができる。
従って、本発明の電子薬箱１００は、使い勝手が良く、医薬品に関する詳細情報を簡便に表示することができる。
【００５３】
（６）電子薬箱１００は、ドッキングステーション１５０にセットされているときには、メイン電源部１５１から供給される電力により動作するとともに内蔵する二次電池であるサブ電源部６５に電力を蓄え、ドッキングステーション１５０から離されたときには、サブ電源部６５の電力により動作することから、電子薬箱１００は、ドッキングステーション１５０から離されても、サブ電源部６５の電力により動作する。
また、メイン電源部１５１が電子薬箱１００とは別体に設けられたドッキングステーション１５０の構成に含まれているため、メイン電源部１５１の体積分、電子薬箱１００の医薬品の収納容積を増やすことができ、また、メイン電源部１５１の重量分、電子薬箱１００の重さを軽くすることができる。
さらに、電子薬箱１００には、外部の交流電力を引き込むためのインレットを含むケーブルが不要であるため、容易に移動することができる。
従って、使い勝手が良く、単品の状態で、収納されている医薬品の医薬品情報を簡便に読み取り表示することができる電子薬箱システム２００を提供することができる。
【００５４】
（７）図６の医薬品一覧画面Ｇ１、および図７の詳細情報画面Ｇ２において、所望の医薬品について「常備薬」登録を行うことができる。
常備薬登録すると、「常備薬がなくなった場合に、設定されたアドレスに、補填催促メールを入れる機能」や、「使用期限が迫ってきた場合に、設定されたアドレスに、補填催促メールを入れる機能」、さらには「設定された時間に、音声またはブザー音により服用時間の報知をする機能」を活用することができる。
従って、使い勝手が良く、常備薬の在庫状況をメールにより通知し、また、服用時間を音により報知することができる電子薬箱システム２００を提供することができる。
【００５５】
（８）開閉検出スイッチＳＷ１の突出長さは、フタ部７０の本体部５０上面からの開口角度θが、略７０°を超えたときに、フタ部７０が開いたと検出するような長さに設定されている。また、制御部５３は、フタ部７０が開いたことを検出した後に、リーダライタ部５７のシングルアクセス対応機能を有効にすることから、アンテナ部７３が本体部５０に収納されている医薬品の方を向いている半開きの状態においては、収納されている医薬品の医薬品情報を読み取る恐れはない。
従って、本発明の電子薬箱１００は、使い勝手が良く、適切な状況において必要とされる医薬品情報を読み取り表示することができる。
【００５６】
なお、本発明は上述した実施形態に限定されず、上述した実施形態に種々の変更や改良などを加えることが可能である。変形例を以下に述べる。
【００５７】
（変形例１）
図１を用いて説明する。前記実施形態において、電子薬箱１００に収納される医薬品は、市販されている医薬品として説明したが、医薬品情報を記憶したＩＣタグが付与されていれば病院で医師が処方した医薬品であっても良い。
医師が処方する医薬品の場合、医薬品を入れる袋に簡単な服用方法が記載されているものが一般的であったが、医師が処方した医薬品のＩＣタグには、処方された医薬品の医薬品名、効能、詳細な用法、解説および注意事項などの医薬品情報が記憶されているため、使用者は、どんな薬を服用しているのか自分で把握することができ、より安心して医薬品を使用することができる。
【００５８】
（変形例２）
図１を用いて説明する。前記実施形態および変形例において、電子薬箱１００は、フタ部７０を開けて、医薬品情報一覧を表示しているときに、操作部５１により、例えば「腹痛」といった応急処置したい症状を入力し、入力された症状を抑える効能を持つ医薬品の表示を点滅させる、または、他の表示色調と変える機能を持つ医薬品検索サブプログラムをさらに搭載していても良い。
これによれば、処置したい症状に応じた医薬品を素早く探し出すことができる。
【００５９】
（変形例３）
図３を用いて説明する。前記実施形態および変形例において、ＩＣタグＩｔ１のアンテナパターン１１１は、フィルムである基材１１０上に形成されているが、例えば、医薬品Ｄｒ１の紙製の外装箱に導電性のあるインクによりアンテナパターンおよびパターンランドを印刷により形成し、当該パターンランド上に導電性接着剤を用いてＩＣチップ１１４を搭載する構成であっても良い。
また、ＩＣタグは、医薬品の外装箱の内面に取り付けられていても良いし、外装箱に収納されている取り扱い説明書に取り付けられていても良い。
これらの構成であっても、前記実施形態と同様の作用効果を得ることができる。
【００６０】
前記各実施形態および変形例から把握できる技術的思想について、以下にその効果とともに記載する。
【００６１】
複数の医薬品を収納するとともに、前記医薬品ごとに取り付けられたＩＣタグに記憶されている当該医薬品の医薬品名、効能、使用期限、用法を含む医薬品情報を読み取る電子薬箱であって、複数の医薬品を収納するための容器である本体部と、前記本体部の蓋であるフタ部と、を含んで構成され、前記フタ部は、前記本体部の一辺を支点として開閉し、前記複数の医薬品と対向する内面側に前記医薬品情報を表示するための表示部を有し、前記本体部には、少なくともマルチアクセスに対応したＩＣタグリーダであるリーダライタ部が備えられ、前記本体部の内面側または前記フタ部の内面側には、前記本体部に収納されている複数の医薬品のＩＣタグから、前記医薬品情報を読み取るための前記リーダライタ部のアンテナ部が設けられ、前記リーダライタ部による前記医薬品情報の読み取りを制御する制御部は、前記リーダライタ部により、前記収納されている複数の医薬品の前記医薬品情報を順次読み取らせ、読み取った前記医薬品情報の要旨を前記表示部に一覧表示させることを特徴とする電子薬箱。
【００６２】
この構成によれば、制御部は、リーダライタ部により、収納されている複数の医薬品の医薬品情報を読み取らせ、読み取った医薬品情報の要旨を表示部に一覧表示させることから、本発明の電子薬箱は、医薬品情報を読み取って表示させるためにＩＣタグリーダを備えたＰＣや携帯電話などが必要であった従来の読み取り装置とは異なり、単品の状態で、収納されている医薬品の医薬品情報を簡便に読み取り表示する。
よって、電子薬箱は使い勝手が良い。
さらに、リーダライタ部は、マルチアクセス対応であることから、本発明の電子薬箱は、医薬品情報を医薬品１個づつ読み取っていた従来の読み取り装置とは異なり、収納されている医薬品全ての医薬品情報を順次読み取る。
よって、簡便に全ての医薬品情報を読み取ることができる。
従って、本発明の電子薬箱は、使い勝手が良く、単品の状態で、収納されている医薬品の医薬品情報を簡便に読み取り表示することができる。
【００６３】
さらに前記複数の医薬品の医薬品情報を記憶する記憶部を備え、前記制御部は、前記フタ部が閉じたことを検出すると、前記リーダライタ部に前記医薬品情報を読み取らせ、読み取った前記医薬品情報を前記記憶部に記憶させ、前記フタ部が開いたことを検出すると、前記表示部に前記医薬品情報一覧を表示させることを特徴とする前記記載の電子薬箱。
【００６４】
一般の薬箱は、普段、押入れや収納棚などに、蓋を閉じた状態で保管されている。薬箱の使用者が必要とする情報は、当該薬箱にどんな医薬品が、どのくらい保管されているかということである。
この構成によれば、制御部は、フタ部が閉じたことを検出すると、リーダライタ部に医薬品情報を読み取らせ、読み取った医薬品情報を記憶部に記憶することから、フタ部が閉められた時点で収納されている医薬品全ての医薬品情報を読み取り記憶する。
さらに、フタ部が開いたことを検出すると、表示部に医薬品情報一覧を表示することから、使用者が、薬箱を利用するために薬箱を開けると、収納している医薬品の医薬品情報一覧が表示される。
従って、本発明の電子薬箱は、使い勝手が良く、簡便に医薬品情報を表示することができる。
【図面の簡単な説明】
【００６５】
【図１】一実施形態における電子薬箱システムの概要図。
【図２】電子薬箱システムの概略構成図。
【図３】（ａ）一実施形態における医薬品の斜視図。（ｂ）医薬品に取り付けられているＩＣタグの概要図。（ｃ）ＩＣタグの概略構成図。
【図４】電子薬箱による医薬品情報の読み取りに係る処理の流れを示したフローチャート。
【図５】電子薬箱による医薬品情報の一覧表示に係る処理の流れを示したフローチャート。
【図６】医薬品情報の一覧表示画面の一態様を示す図。
【図７】医薬品の詳細情報画面の一態様を示す図。
【図８】常備薬の詳細設定画面の一態様を示す図。
【符号の説明】
【００６６】
５０…本体部、５１…操作部、５３…制御部、５７…リーダライタ部、５８…ＲＦ部、５９…通信制御部、６４…記憶部としての第２記憶部、６５…サブ電源部、７０…フタ部、７２…表示部、７３…アンテナ部、１００…電子薬箱、１５０…ドッキングステーション、１５１…メイン電源部、１５２…無線通信部、１８０…外部電源、２００…電子薬箱システム、ＳＷ１…開閉検出スイッチ、Ｄｒ１〜Ｄｒ７…医薬品、Ｉｔ１〜Ｉｔ７…ＩＣタグ、Ｇ１…医薬品一覧表示画面、Ｇ２…医薬品の詳細情報画面、Ｇ３…常備薬の詳細設定画面。
【図１】
2007111152.tif 000003
【図２】
2007111152.tif 000004
【図３】
2007111152.tif 000005
【図４】
2007111152.tif 000006
【図５】
2007111152.tif 000007
【図６】
2007111152.tif 000008
【図７】
2007111152.tif 000009
【図８】
2007111152.tif 000010